(57)【要約】      （修正有）【課題】製品コストを押し上げている印刷工程数を減らすことにより、低コストな医療用吸引集液器を提供すること。【解決手段】少なくとも1つの集液室12を有する集液部11と、細管22および水封室を有する水封部1と、が連接してなる医療用吸引集液器であって、前記集液部11には、少なくとも一面側に形成された第一の印刷面が設けられ、前記水封部1には、少なくとも一面側に形成された第二の印刷面が設けられ、前記第一の印刷面と前記第二の印刷面とが略同一平面上に配置されていることを特徴とする医療用吸引集液器である。【選択図】図１
2006130170.tif 000002
【特許請求の範囲】
【請求項１】
少なくとも1つの集液室を有する集液部と、
細管および水封室を有する水封部と、
が連接してなる医療用吸引集液器であって、
前記集液部には、少なくとも一面側に形成された第一の印刷面が設けられ、
前記水封部には、少なくとも一面側に形成された第二の印刷面が設けられ、
前記第一の印刷面と前記第二の印刷面とが略同一平面上に配置されていることを特徴とする医療用吸引集液器。
【請求項２】
前記集液部と前記水封部は、一体成形容器である請求項１に記載の医療用吸引集液器。
【発明の詳細な説明】
【技術分野】
【０００１】
本発明は、医療用吸引集液器に関する。
【背景技術】
【０００２】
医療用吸引集液器は、主に開胸術後、胸腔内圧を一定に保つために使用されることが多く、その形態には、調圧部、水封部、集液部の３連ボトル法を１ユニットにまとめたディスポーザブルタイプと、水封部と集液部を１ユニットとしたものに、ポンプやＩＣを内蔵して吸引圧力を制御できる調圧部とを組み合わせて使用する器械タイプがある。
【０００３】
器械タイプの水封部と集液部を１ユニットにまとめた吸引集液器において、集液部は体腔内からの排液を貯留するためのもので１槽以上の集液室からなっており、総容量は主に小児用に使用される５００ｍＬ程度のものから、２０００ｍＬの大容量のものがあり、各集液室ごとにそれぞれ排液量を計量するための目盛が印刷表示されている。細管と水封室からなっている水封部は細管がＵ字管状をなし、底部に滅菌蒸留水を２０〜３０ｍＬ程度注入して気体が流通できないように水封止して使用される。この水封止される目的は通常吸引使用時に外気が胸腔内に進入することを防止するものであるが、さらには、胸腔から排出される空気を水封止した水面下にくぐらせ気泡発生をもってエアーリークを検知したり、Ｕ字管内の水面変化により胸腔内圧を計測したりすることにも使用される。このため、水封止注入量と水面を示す表示、および胸腔内圧を計量するための目盛が印刷表示されている。
【０００４】
従来、器械タイプの吸引集液器は、水封部と集液部がブロー成形による一体成形品であり、前面、背面は対称形状をなしているが、集液部と水封部の容量は大きく異なる。さらに、見易さと容器成形性の観点より、集液部の集液室の奥行きや幅と比較して、水封部の小室の奥行きや幅はは小さく設計されている。そのため、各容器に計量目印などを印刷する際、印刷色を１色としたとしても２回以上の印刷工程が必要である。特に、２０００ｍＬクラスの大きな容器における印刷工程やその後の乾燥工程の取り回しは煩雑であり、印刷回数の増加は、容器のキズ等の損傷リスクも含め、製品コストを押し上げる要因となっていた。
【特許文献１】特開昭６２−１０７８４３号公報
【特許文献２】特開２０００−１９７６９４号公報
【発明の開示】
【発明が解決しようとする課題】
【０００５】
本発明は、上記事情に鑑みてなされたものであり、製品コストを押し上げている印刷工程数を減らすことにより、低コストな医療用吸引集液器を提供することを目的とする。
【課題を解決するための手段】
【０００６】
本発明によれば、少なくとも1つの集液室を有する集液部と、
細管および水封室を有する水封部と、
が連接してなる医療用吸引集液器であって、
前記集液部には、少なくとも一面側に形成された第一の印刷面が設けられ、
前記水封部には、少なくとも一面側に形成された第二の印刷面が設けられ、
前記第一の印刷面と前記第二の印刷面とが略同一平面上に配置されていることを特徴とする医療用吸引集液器を提供するものである。
【０００７】
本発明に係る医療用吸引集液器は、集液部と水封部の少なくとも一面側に設けられた印刷面が略同一平面上にあるため、印刷工程を減らすことが可能となる。
【０００８】
また、前記集液部と前記水封部は、一体成形容器であってもよい。
【発明の効果】
【０００９】
本発明によれば、印刷工程を減らした低コストな医療用吸引集液器を提供できる。
【発明を実施するための最良の形態】
【００１０】
以下、本発明の実施の形態について、図面を用いて説明する。なお、すべての図面において、共通する構成要素には同一符号を付し、以下の説明において詳細な説明を適宜省略する。
【００１１】
図１は、本実施形態に係る医療用吸引集液器を示す概略図であり、水封部（１）と集液部（１１）から構成されている。水封部（１）は、隔壁（４）で区切られ集液部（１１）に連通する側が細管（２）、反対側が小室（３）にＵ字管状に形成されており、小室（３）の上部にはオーバーフロー防止弁（６）を備えた吸引源接続部（５）が設置されている。
【００１２】
集液部（１１）には、１槽以上の集液室（１２）が隔壁（１３）により区切られ配置されており、集液室（１２）の上部には患者の胸腔内に留置されるカテーテルや、延長チューブに接続する排出チューブ接続部（１４）が１個以上設置されている。集液室（１２）の容量は小児用の５００ｍＬ程度のものから２０００ｍＬの大容量ものがあり、少なくとも一面側に形成された第一の印刷面が設けられ、各槽ごとにそれぞれ排液量測定目盛（１５）が印刷表示されている。
【００１３】
水封部（１）は無菌水（７）を２０〜３０ｍＬ注入して水封止することにより、吸引源と患者の胸腔内に連通する集液部（１１）と気体流通的に連通する事を阻止することができる。また、水封部（１）は患者の胸腔から排出される空気を水封止した水面下にくぐらせ気泡発生をもってエアーリークを検知したり、細管（２）内の無菌水（９）の水面位置により胸腔内圧を計測したりする機能を保有している。このため、水封部（１）の容器表面には、少なくとも一面側に形成された第二の印刷面が設けられ、水封止注入量と水面を示す水封止表示（７）および胸腔内圧測定目盛（８）が印刷表示されている。
【００１４】
本実施形態に係る医療用吸引集液器はブロー成形による一体成形容器であり、材質は塩化ビニール樹脂、ＰＥＴ樹脂、ポリカーボネート樹脂、ポリスチレン樹脂等が好ましいが、コスト、強度、加工性、外観性状を鑑みて選定されればよく、特に限定されるものではない。
【００１５】
次に、本実施形態に係る医療用吸引集液器の奥行き形状について詳細に説明する。図２は本実施形態に係る医療用吸引集液器の上面図であり、図５は従来の医療用吸引集液器の上面図である。水封部の容量は２０〜３０ｍＬと、集液部の容量５００〜２０００ｍＬとでは容器サイズが異なる。そのため、従来は、水封部と集液部の印刷面は同一平面上には配していなかった。
【００１６】
これに対して、本発明では図２に、３種類の実施形態（ａ）、（ｂ）、（ｃ）を提示するが、ブロー成形におけるパーティングラインに対して水封部（１）と集液部（１１）の印刷面となる第一の印刷面と前記第二の印刷面が略同一平面となるようこう配をもった設計としており、一般に大型容器の印刷表示に使用するシルクスクリーン印刷が一回の工程で実施することが可能となっている。なお、前記こう配は正面からの目盛表示等の見易さを鑑み、１５度以内のこう配とするのが望ましいが、容量バランスにより１５度以上のこう配が必要な場合は、器械式の調圧部の医療用吸引集液器の設置場所があらかじめ前記こう配と逆のこう配設計であるならば印刷面は垂直面とすることが可能である。
【００１７】
また、もう一つの実施形態である、調圧部、水封部、集液部の３連ボトル法を１ユニットにまとめたディスポーザブルタイプについて、図３の如くブロー成形による一体成形容器で作製することが可能であり、調圧部（２１）は隔壁（２４）で区切られ水封部（１）に連通する側が小室（２３）、反対側が細管（２２）にＵ字管状に形成されており、小室（２３）の上部には陽圧リリーフ弁（２５）が設置されている。調圧部（２１）は無菌水（２７）を５０〜２００ｍＬ注入することにより吸引源の吸引圧を、調圧する機能がある。このため、調圧部（２１）の容器表面には吸引圧設定目盛目盛（２６）が印刷表示されている。
【００１８】
３連ボトルにおいても図４の上面図の如く、全ての印刷面を略同一平面に設計することにより、一回印刷の達成が可能となる。
【図面の簡単な説明】
【００１９】
【図１】本発明の実施例となる医療用吸引集液器の概略を示した正面図。
【図２】本発明の実３つの施例となる医療用吸引集液器の奥行き形状を示した上面図。
【図３】本発明の他の実施例となる医療用吸引集液器の概略を示した正面図。
【図４】本発明の他の施例となる医療用吸引集液器の奥行き形状を示した上面図。
【図５】従来の医療用吸引集液器の奥行き形状を示した上面図。
【符号の説明】
【００２０】
１  水封部
２  細管
３  小室
４  隔壁
５  吸引源接続部
６  オーバーフロー防止弁
７  水封止表示
８  胸腔内圧測定目盛
９  無菌水
１１  集液部
１２  集液室
１３  隔壁
１４  排出チューブ接続部
１５  排液量測定目盛
２１  調圧部
２２  細管
２３  小室
２４  隔壁
２５  陽圧リリーフ弁
２６  吸引圧測定目盛
２７  無菌水
【図１】
2006130170.tif 000003
【図２】
2006130170.tif 000004
【図３】
2006130170.tif 000005
【図４】
2006130170.tif 000006
【図５】
2006130170.tif 000007